(57)【要約】【課題】本発明は、本体部と接続口体との間の圧力損失の発生が抑えられる温水マット用ヘッダーを提供する。【解決手段】本発明は、本体部１の第１通路１０と同通路端の開口に嵌り込んで取着される接続口体２ａ，２ｂ，３ａ，３ｂの第２通路６とが、通路径の小さな第２通路から徐々に拡径するテーパ部１５を通じて連通される構成を採用した。これにより、急激な通路面積の変化をもたらしていた本体部の第１通路端と接続口体の第２通路端間は、徐々に通路面積が広がるテーパ部で連通するようになり、同部位での圧力損失の発生が低減できる。【選択図】      図１
2006057924.tif 000002
【特許請求の範囲】
【請求項１】
一端が外面に開口し、他端が内部へ向かう第１通路を有する本体部と、
一端部が前記外面に開口する前記第１通路の開口縁部に嵌め込んで取着され他端部が前記本体部の外面から突き出るように設けられた、内部に前記通路径より小さな第２通路を有する接続口体とを具備し、
前記第２通路と前記第１通路とが、前記第２通路の通路径から徐々に拡径するテーパ部を通じて連通されるようにしてある
ことを特徴とする温水マット用ヘッダー。
【請求項２】
前記テーパ部は、前記接続口体の根元側の第２通路端にテーパ面を形成してなることを特徴とする請求項１に記載の温水マット用ヘッダー。
【発明の詳細な説明】
【技術分野】
【０００１】
本発明は、給湯装置からの温水を温水マットへ循環させるために用いる温水マット用ヘッダーに関する。
【背景技術】
【０００２】
温水式の床暖房システムには、給湯装置からの温水を温水マット用ヘッダーへ導き、該温水ヘッダー部から床に設置した温水マットへ供給する構造が採用されている。
【０００３】
こうした床暖房システムに用いられる温水マット用ヘッダーには、一般に、金属製の本体部に、給湯装置につながる入・出側の口金、温水マットの各部につながる入・出側の口金（いずれも接続口体）を、ロー付けなどで取着する構造が用いられている。
【０００４】
ところで、温水マット用ヘッダーの口金は、給湯装置につながる接続子や温水マットにつながる接続子などが接続されるために、定位置に位置決められること、接続負荷に耐える剛性強度が求められる。そのため、口金と本体部との接続には、本体部の外面に該本体内部に形成される通路（第１通路）の端部を開口させ、この開口縁部に、口金の端部を嵌め込んで、ロー付けなどで同端部を本体部に取着する構造が用いられている。
【０００５】
このため、温水マッド用ヘッダーは、構造上、口金の内部に形成される通路（第２通路）の径は、本体内部に形成される通路（第１通路）の通路径より小さくなることが余儀なくされる。特に温水マット用ヘッダーの口金は、単に根元側の端部を本体部の開口に嵌め込んで取着するだけなので、口金の通路径が小さい根元側の通路端は、単純に本体部側の通路径が大きな通路に開口するだけとなっている。このため、口金端と本体部との間には、
急激に通路面積が変化する部分が生じている状況にある。
【発明の開示】
【発明が解決しようとする課題】
【０００６】
ところで、温水式の床暖房システムでは、近時、小循環量の温水でも、床暖房が実現されるようになった。このような小流量の温水による床暖房では、各通路の径を小さくした温水マット用ヘッダーが用いられるため、今まで問題とならない温水マット用ヘッダーの各部での圧力損失でも暖房効率が低下しやすくなる問題がある。特にこの床暖房システムは、温水マット用ヘッダーにおける口金端と本体部との間で急激に流路面積が変化する部分でも影響を受けやすく、同部分で生じる圧力損失により、暖房効果が損なわれる問題がある。
【０００７】
そこで、本発明の目的は、本体部と接続口体間での圧力損失の発生が抑えられる温水マット用ヘッダーを提供することにある。
【課題を解決するための手段】
【０００８】
請求項１に記載の発明は、上記目的を達成するために、本体部の第１通路と同通路端の開口に嵌り込んで取着される接続口体の第２通路とが、通路径の小さな第２通路から徐々に拡径するテーパ部を通じて連通されるようにした。
【０００９】
請求項２に記載の発明は、テーパ部が簡単に形成できるよう、テーパ部には、接続口体の根元側の第２通路端にテーパ面を形成してなる構造を採用した。
【発明の効果】
【００１０】
請求項１に記載の発明によれば、テーパ部の形成により、急激な通路面積の変化をもたらしていた本体部の第１通路端と接続口体の第２通路端間は、徐々に通路面積が広がるテーパ部で連通するようになり、同部位での圧力損失の発生を低減することができる。
【００１１】
したがって、圧力損失を抑えた温水マット用ヘッダーを提供でき、温水式暖房システムの暖房効率の向上を図ることができる。
【００１２】
請求項２に記載の発明によれば、さらに上記効果に加え、本体部に後付けされる接続口体にテーパ面を形成するだけで、簡単に上記効果を奏することができる。
【発明を実施するための最良の形態】
【００１３】
［一実施形態］
以下、本発明を図１および図２に示す一実施形態にもとづいて説明する。
【００１４】
図１（ａ）は、温水式の暖房システム、例えば小循環式の床暖房システムに用いられる温水マット用ヘッダーの一部断面した平断面図、図１（ｂ）は、同じく正面図を示していて、同図中１は温水マット用ヘッダーの本体部を示す。同本体部１は、例えば真鍮など金属部材からなる偏平な角形ブロックから構成されている。この本体部１の前後方向前部（図面の奥行き方向前側）には、給湯装置につながる入・出側の接続子（いずれも図示しない）と接続可能な例えば一対のたけのこ形の入口接続口金２ａ、出口接続口金２ｂ（いずれも本願の接続口体に相当）が接続されている。また本体１の左右方向両側部には、それぞれ例えば温水マットにつながる接続子（図示しない）と接続可能な例えば一対のたけのこ形の入口ホース口金３ａ、出口ホース口金３ｂ（いずれも本願の接続口体に相当）が接続されている。
【００１５】
各口金２ａ，２ｂ，３ａ、３ｂの接続は、いずれも図２に示されるように本体部１の外面に、本体部１の内部に形成された大きな口径の通路１０（本願の第１通路に相当）の一端を開口させ、同開口縁部に形成した位置決め用の段差部１０ａに、各口金２ａ，２ｂ，３ａ、３ｂの根元側（基端側）の端部に形成されているフランジ部５を嵌挿して、同フランジ部５を本体部１にロー付けなどで取着することで行われている。この接続により、通路１０と、各口金２ａ，２ｂ，３ａ、３ｂ内に形成されている通路、すなわち上記通路１０の通路径より小さな通路径の通路６との相互を連通させている。
【００１６】
入口接続口金２ａにつながる通路１０は、二系統のうちの一方の分岐系統の出口ホース口金、すなわち入口接続口金２ａと隣接した地点に配置されている出口ホース口金３ｂに、同じ通路空間を共用して連通させてある。さらに同通路１０は、残る他方の分岐系統となる、入口接続口金２ａから離れた地点に配置されている出口ホース口金３ｂに、中継通路１１ａを通じて連通させてある。
【００１７】
また出口接続口金２ｂにつながる通路１０は、二系統のうちの一方の分岐系統の入口出口ホース口金、すなわち出口接続口金２ｂと隣接した地点に配置されている入口ホース口金３ａに、同じ通路空間を共用して連通させてある。さらに同通路１０は、残る他方の分岐系統となる、出口接続口金２ｂから離れた地点に配置されている入口ホース口金３ａに、中継通路１１ｂを通じて連通させてある。
【００１８】
こうした各通路１０の連通により、給湯装置からの温水が、入口接続口金２ａから、本体部１の左右両側の出口ホース口金３ｂから分岐して温水マットの各部へ供給されると同時に、暖房を終えた温水マットからの温水が、本体部１の左右両側の入口ホース口金３ａから出口接続口金２ｂへ合流して、再び給湯装置へ戻せるようにしている。
【００１９】
また各口金２ａ，２ｂ，３ａ、３ｂの通路６端と本体部１の通路１０端間の急激に通路面積が変化する各部分Ａ〜Ｄには、いずれも同変化を緩やか（緩慢）にするテーパ部１５が形成されている。テーパ部１５は、図２に示されるように各口金２ａ，２ｂ，３ａ、３ｂの根元側となる通路６の端部周面に、通路径の小さな通路６から徐々に拡径するコーン状のテーパ面１６を形成してなる。このテーパ面１６は、通路径の大きな通路１０の通路径や通路径付近まで徐々に拡がる形状の円錐状の面で形成されていて、できるだけ滑らかに温水が各部分Ａ〜Ｄを流れるようにしている。
【００２０】
したがって、温水マット用ヘッダーは、このようなテーパ面１６によって口金端と本体部間の通路部分（Ａ〜Ｄ）が滑らかに変化されるから、急激な通路面積の通路面積の変化を要因に生じていた口金端と本体部１間での圧力損失を低減させることができる。特に圧力損失の影響を受けやすい、小径の口金２ａ，２ｂ，３ａ，３ｂを用いて温水を小循環量で温水マットへ循環させる床暖房システムは、圧力損失の抑制により、暖房効率の向上が図れ、暖房効果の促進を図ることができる。しかも、テーパ部１５の採用により、温水式暖房システムの点検の際に行われるエアーを通す工程では、急激に流路面積が変化する部分でのエアーの抜けが良好となり、速やかに温水の配管経路の点検が実施できる。そのうえ、テーパ部１５の採用により、急激に流路面積が変化する部分が解消されることにより、同部分で滞っていたごみなど異物が抜け易くなる利点がある。
【００２１】
さらに、テーパ部１５の形成は、本体部１に後付けされる各口金２ａ，２ｂ，３ａ，３ｂにコーン状のテーパ面１６を形成するだけなので、簡単である。
【００２２】
なお、本発明は上述した一実施形態に限定されるものではなく、本発明の主旨を逸脱しない範囲内で種々変更して実施しても構わない。例えば一実施形態では、入口側の口金、出口側の口金の双方にテーパ面を形成した構造を挙げたが、これに限らず、大きな圧力損失を発生しやすい大通路径から小通路径へ温水が流れる部位に配置される口金（一実施形態では出口ホース口金（供給側））だけに形成する構造でもよい。もちろん、本発明は一実施形態のような二系統に分かれた温水マット用ヘッダーでなく、一系統や三系統以上に分かれた温水マット用ヘッダーに適用してもよい。
【図面の簡単な説明】
【００２３】
【図１】本発明の一実施形態に係る温水マット用ヘッダーの構造を示す図。
【図２】同ヘッダーの一部を分解した断面図。
【符号の説明】
【００２４】
１…本体部、２ａ，２ｂ，３ａ，３ｂ…口金（接続口体）、６…通路（第２通路）、１０…通路（第１通路）、１５…テーパ部、１６…テーパ面。
【図１】
2006057924.tif 000003
【図２】
2006057924.tif 000004